(57)【要約】【課題】使用者の顔サイズにかかわらずマスク本体を顔の目周りに対して適度にフィットさせることが可能な構造の温熱具を提供する。【解決手段】温熱具１００は、両目を覆うマスク本体１０と、マスク本体１０に設けられた発熱体２０と、マスク本体１０の横幅方向における両端部に対して各々の一端部が固定されていて耳に掛けられる一対の耳掛け部３０と、を備える。一対の耳掛け部３０の各々は、当該耳掛け部３０を耳に掛けるための耳掛け用開口３２を有する。温熱具１００は、当該温熱具１００を平坦に広げたときにおける一対の耳掛け用開口３２の両端間の距離Ｌ１を調節可能とさせる距離調節部（例えば、耳掛け部３０とマスク本体１０との接合部３３）を備える。【選択図】図３
2018108201.tif 000002
【特許請求の範囲】
【請求項１】
両目を覆うマスク本体と、前記マスク本体に設けられた発熱体と、前記マスク本体の横幅方向における両端部に対して各々の一端部が固定されていて耳に掛けられる一対の耳掛け部と、を備える温熱具であって、
前記一対の耳掛け部の各々は、当該耳掛け部を耳に掛けるための耳掛け用開口を有し、
当該温熱具は、当該温熱具を平坦に広げたときにおける前記一対の耳掛け用開口の両端間の距離を調節可能とさせる距離調節部を備える温熱具。
【請求項２】
前記距離調節部は、前記一対の耳掛け部と前記マスク本体との接合部を含んで構成されており、
前記接合部は、横幅方向の所定範囲に亘って設けられていて、且つ、剥離可能である請求項１に記載の温熱具。
【請求項３】
前記接合部は、横幅方向外側に向かって凸の弧状に形成されている請求項２に記載の温熱具。
【請求項４】
前記耳掛け部において、前記マスク本体に対する前記耳掛け部の固定部から離間した部位が、当該耳掛け部における他部又は前記マスク本体に対して剥離可能に接合しており、前記距離調節部は、この接合部位を含んで構成されている請求項１から３のいずれか一項に記載の温熱具。
【請求項５】
前記耳掛け部の横幅方向に離間した複数部位が、当該耳掛け部における他部又は前記マスク本体に対して剥離可能にそれぞれ接合しており、前記距離調節部は、これら接合部位を含んで構成されている請求項４に記載の温熱具。
【請求項６】
前記距離調節部により前記一対の耳掛け用開口の両端間の距離を調節することで、当該温熱具を横幅方向に引き伸ばすのに要する力の大きさが変化する請求項１から５のいずれか一項に記載の温熱具。
【発明の詳細な説明】
【技術分野】
【０００１】
本発明は、温熱具に関する。
【背景技術】
【０００２】
温熱具として、着用時に両目を覆うマスク本体と、マスク本体に設けられた発熱体と、マスク本体の横幅方向における両端部に設けられた一対の耳掛け部と、を備えるタイプのものがある（例えば特許文献１）。
この種の温熱具は、一対の耳掛け部を使用者の左右の耳のそれぞれに引っ掛けることによって着用することでき、当該温熱具の着用時には発熱体によって使用者の目周りを温めることができる。
【先行技術文献】
【特許文献】
【０００３】
【特許文献１】特開２００８−２９５７７９号公報
【発明の概要】
【発明が解決しようとする課題】
【０００４】
ところで、上述のような温熱具は、使用者の顔サイズにかかわらずマスク本体が顔の目周りに対して適度にフィットすることが好ましい。
しかしながら、本発明者等の検討によれば、特許文献１等の温熱具では、そのような要求に関し、なお改善の余地がある。
【０００５】
本発明は、上記の課題に鑑みてなされたものであり、使用者の顔サイズにかかわらずマスク本体を顔の目周りに対して適度にフィットさせることが可能な構造の温熱具に関する。
【課題を解決するための手段】
【０００６】
本発明は、両目を覆うマスク本体と、前記マスク本体に設けられた発熱体と、前記マスク本体の横幅方向における両端部に対して各々の一端部が固定されていて耳に掛けられる一対の耳掛け部と、を備える温熱具であって、
前記一対の耳掛け部の各々は、当該耳掛け部を耳に掛けるための耳掛け用開口を有し、
当該温熱具は、当該温熱具を平坦に広げたときにおける前記一対の耳掛け用開口の両端間の距離を調節可能とさせる距離調節部を備える温熱具を提供する。
【発明の効果】
【０００７】
本発明によれば、使用者の顔サイズにかかわらずマスク本体を顔の目周りに対して適度にフィットさせることが可能となる。
【図面の簡単な説明】
【０００８】
【図１】第１実施形態に係る温熱具の平面図であり、耳掛け部を展開する前の折り畳み状態を示す。
【図２】第１実施形態に係る温熱具の断面図である。
【図３】第１実施形態に係る温熱具の平面図であり、耳掛け部を展開した状態を示す。
【図４】第１実施形態に係る温熱具の平面図であり、マスク本体に対する耳掛け部の接合部を部分的に剥離し、且つ、耳掛け部を展開した状態を示す。
【図５】第１実施形態に係る温熱具の平面図であり、マスク本体に対する耳掛け部の接合部を図４の状態よりも広い範囲で剥離し、且つ、耳掛け部を展開した状態を示す。
【図６】第１実施形態の変形例に係る温熱具の平面図であり、耳掛け部を展開する前の折り畳み状態を示す。
【図７】図７（ａ）、図７（ｂ）、図７（ｃ）及び図７（ｄ）は、第２実施形態に係る温熱具の模式的な断面図である。
【発明を実施するための形態】
【０００９】
以下、本発明の実施形態について、図面を用いて説明する。なお、すべての図面において、同様の構成要素には同一の符号を付し、重複する説明は適宜に省略する。
【００１０】
〔第１実施形態〕
先ず、図１から図５を用いて第１実施形態を説明する。
なお、図２に示す断面の位置は、図１に示すＡ−Ａ線の位置に相当する。ただし、図２では、図１とは異なり、一対の耳掛け部３０がマスク本体１０から離間している。
【００１１】
図１から図３のいずれかに示すように、本実施形態に係る温熱具１００は、両目を覆うマスク本体１０と、マスク本体１０に設けられた発熱体２０と、マスク本体１０の横幅方向における両端部に対して各々の一端部が固定されていて耳に掛けられる一対の耳掛け部３０と、を備える。一対の耳掛け部３０の各々は、当該耳掛け部３０を耳に掛けるための耳掛け用開口３２を有する。温熱具１００は、当該温熱具１００を平坦に広げたときにおける一対の耳掛け用開口３２の両端間の距離Ｌ１（図３等）を調節可能とさせる距離調節部を備える。
【００１２】
本実施形態の場合、距離調節部は、一対の耳掛け部３０とマスク本体１０との接合部３３を含んで構成されており、接合部３３は、横幅方向の所定範囲Ｒ（図１、図３）に亘って設けられていて、且つ、剥離可能である。
図４又は図５に示すように、接合部３３を部分的に剥離することにより、接合部３３の剥離前の状態（図３）と比べて、距離Ｌ１を長くすることができる。なお、図５の状態では、図４の状態と比べて、接合部３３がより広い範囲で剥離されており、距離Ｌ１が図４の状態よりも更に長くなっている。
よって、使用者の顔サイズに合わせて接合部３３の適宜の範囲を剥離することにより、マスク本体１０を顔の目周りに対して適度にフィットさせることが可能となる。すなわち、使用者の顔サイズにかかわらず、マスク本体１０を顔の目周りに対して適度にフィットさせることが可能となる。ここで、目周りとは、左右の目及びその周囲近傍の領域である。
【００１３】
なお、図４又は図５に示すように、接合部３３を剥離することにより図３に示す初期状態と比べて距離Ｌ１を長くすることで、耳掛け部３０が長くなることから、耳掛け部３０を横幅方向に引き伸ばすのに要する力が、図３の状態と比べて小さくなる。このことによって、温熱具１００を装着したときの温熱具１００の装着感をより緩くすることができるため、顔サイズが大きい使用者にとってより最適なフィット感が得られる。
更に、図４又は図５に示すように、接合部３３を剥離することにより図３に示す初期状態と比べて距離Ｌ１を長くすることで、耳掛け部３０の基端部の上下幅が小さくなることによっても、耳掛け部３０を横幅方向に引き伸ばすのに要する力が、図３の状態と比べて小さくなる。このことによっても、温熱具１００を装着したときの温熱具１００の装着感をより緩くすることができるため、顔サイズが大きい使用者にとってより最適なフィット感が得られる。
【００１４】
このように、本実施形態に係る温熱具１００においては、距離調節部により一対の耳掛け用開口３２の両端間の距離Ｌ１を調節することで、当該温熱具１００を横幅方向に引き伸ばすのに要する力の大きさが変化するようになっている。
【００１５】
マスク本体１０は、例えば、左目を覆う左目覆い部１０ａと、右目を覆う右目覆い部１０ｂと、を有している。左目覆い部１０ａ及び右目覆い部１０ｂの平面形状は特に限定されないが、例えば、それぞれ角丸の略正方形状に形成されている。また、左目覆い部１０ａと右目覆い部１０ｂとは、互いにほぼ同一の形状及び寸法に形成されている。左目覆い部１０ａと右目覆い部１０ｂとは、図３において、左右に並んで配置されている。
なお、本実施形態では、左目覆い部１０ａと右目覆い部１０ｂとの境界位置に上側スリット１４及び下側スリット１５が形成されているが、本発明は、この例に限らず、マスク本体１０は上側スリット１４及び下側スリット１５を有していなくてもよい。この場合、マスク本体１０の横幅方向における中心位置でマスク本体１０を左右に二分割したときの左側部分が左目覆い部１０ａ、右側部分が右目覆い部１０ｂとなる。
【００１６】
また、本明細書において、横幅方向とは、図３に示すようにマスク本体１０を平坦にした状態において、左目覆い部１０ａと右目覆い部１０ｂとの並び方向に一致する方向である。
また、横幅方向は、一対の耳掛け部３０を展開して温熱具１００の全体を平坦にした状態において、一方の耳掛け部３０から他方の耳掛け部３０に向かう方向とも一致している。
すなわち、横幅方向は、図３における左右方向である。
【００１７】
また、本明細書において、上側とは、直立した使用者が温熱具１００を着用した状態で上側となる方向を意味し、下側とは、直立した使用者が温熱具１００を着用した状態で下側となる方向を意味する。上側及び下側は、図３における上側及び下側である。
【００１８】
マスク本体１０は、横長の形状に形成されている。
マスク本体１０は、可撓性の（柔軟な）シート材により構成されている。
マスク本体１０は、伸展性を有していてもよいし、有していなくてもよい。また、マスク本体１０は、伸縮性を有していてもよいし、有していなくてもよい。
マスク本体１０が伸展性又は伸縮性を有する場合、横幅方向に伸展性又は伸縮性を有することが好ましい。
【００１９】
より詳細には、マスク本体１０は、温熱具１００の着用時に顔側に位置する第１シート１１と、着用時に顔とは反対側に位置する第２シート１２（図２）と、を備えて構成されている。第１シート１１及び第２シート１２の各々は、単層のシートにより構成されていてもよいし、複数のシートの積層体であってもよい。
マスク本体１０を構成するシート材（第１シート１１、第２シート１２）の材料としては、例えば、不織布、織布、その他の編み物、ポリエチレンやウレタン等の樹脂フィルム、多孔質体、それらの任意の２種以上の組み合わせ等が挙げられる。
【００２０】
第１シート１１と第２シート１２とは、互いに同一の平面形状及び寸法に形成されているとともに、相互に重ね合わされ、且つ、接合部１３において相互に接合されている。第１シート１１と第２シート１２とは、粘着又は接着により接合されていてもよいし、ヒートシールにより接合されていてもよい。
接合部１３は、例えば、マスク本体１０の（第１シート１１及び第２シート１２の）周縁部の全周と、マスク本体１０の横幅方向における中央部の上端から下端に亘る範囲と、に配置されている。すなわち、接合部１３は、左目覆い部１０ａの周縁部と、右目覆い部１０ｂの周縁部と、に配置されている。
【００２１】
左目覆い部１０ａにおいて周縁部を除く領域、すなわち、左目覆い部１０ａの中央部においては、第１シート１１と第２シート１２とが相互に非接合となっており、当該領域において、第１シート１１と第２シート１２との間隙は、発熱体２０を収容する収容空間１８を構成している。
同様に、右目覆い部１０ｂにおいて周縁部を除く領域、すなわち、右目覆い部１０ｂの中央部においては、第１シート１１と第２シート１２とが相互に非接合となっており、当該領域において、第１シート１１と第２シート１２との間隙は、発熱体２０を収容する収容空間１８を構成している。
すなわち、温熱具１００は、左右一対の発熱体２０を備えており、一方の発熱体２０は左目覆い部１０ａの収容空間１８に、他方の発熱体２０は右目覆い部１０ｂの収容空間１８に、それぞれ収容されている。よって、左右の発熱体２０は、マスク本体１０の内部に保持されている。
なお、使用者が温熱具１００を着用したときに、左目覆い部１０ａが左目を覆うとともに左目覆い部１０ａ内の発熱体２０が左目を覆うように、また、右目覆い部１０ｂが右目を覆うとともに右目覆い部１０ｂ内の発熱体２０が右目を覆うように、左右の発熱体２０が配置されている。
【００２２】
マスク本体１０の横幅方向における中央部の上縁部には、マスク本体１０の上縁から下方に延びる上側スリット１４が形成されている。マスク本体１０の横幅方向における中央部の下縁部には、マスク本体１０の下縁から上方に延びる下側スリット１５が形成されている。
本実施形態の場合、上側スリット１４の長さ寸法（上下寸法）よりも下側スリット１５の長さ寸法（上下寸法）の方が大きい。すなわち、上側スリット１４よりも下側スリット１５の方が深い。
上側スリット１４は、第１シート１１及び第２シート１２に形成されており、第１シート１１の上側スリット１４と第２シート１２の上側スリット１４とは、平面視において互いに重なっている。
同様に、下側スリット１５は、第１シート１１及び第２シート１２に形成されており、第１シート１１の下側スリット１５と第２シート１２の下側スリット１５とは、平面視において互いに重なっている。
上側スリット１４及び下側スリット１５は、左目覆い部１０ａと右目覆い部１０ｂとの境界位置に配置されている。
なお、マスク本体１０は、上側スリット１４及び下側スリット１５の代わりに、マスク本体１０が切り欠かれた形状の切欠形状部を中央部の上下に有していてもよい。
【００２３】
発熱体２０は、例えば図２に示すように、第１被覆シート２１と、第２被覆シート２２と、第１被覆シート２１と第２被覆シート２２との間に保持されているシート状の発熱部２３と、を備えて構成されている。
発熱体２０の平面形状は、特に限定されないが、例えば、角丸の略正方形状に形成されている。
【００２４】
第１被覆シート２１と第２被覆シート２２とは、互いに同一の形状及び寸法に形成されている。第１被覆シート２１と第２被覆シート２２とは、それらの外形線が一致するように互いに重ね合わされており、且つ、それらの周縁部どうしが相互に接合されている。これにより、第１被覆シート２１と第２被覆シート２２とによって、発熱部２３を内部に収容する収容体が構成されている。第１被覆シート２１と第２被覆シート２２との接合は、粘着又は接着によりなされていてもよいし、ヒートシールによりなされていてもよい。
第１被覆シート２１及び第２被覆シート２２の平面形状は、例えば、それぞれ角丸の略正方形状に形成されている。
第１被覆シート２１と第２被覆シート２２とのうち、第１被覆シート２１は、第１シート１１側、すなわち温熱具１００の着用時に顔側となる方に配置されており、第２被覆シート２２は、第２シート１２側、すなわち着用時に顔側とは反対側となる方に配置されている。
【００２５】
発熱部２３は、被酸化性金属を含んで構成されており、この被酸化性金属が酸素と接触することによる酸化反応で生じた熱を利用して、加熱された水蒸気を発生する部位である。発熱部２３は、被酸化性金属、反応促進剤、電解質及び水を含んでいる。
発熱部２３の平面形状は、例えば、略正方形状に形成されている。発熱部２３は、第１被覆シート２１と第２被覆シート２２とにより構成される収容体の内部、すなわち第１被覆シート２１と第２被覆シート２２との間隙に保持されている。
【００２６】
発熱体２０は、図２及び図３に示す接合部２４において、マスク本体１０に対して接合されている。接合部２４は、発熱体２０の横幅方向における一部の領域に配置されている。なお、図３においては、平面視において接合部２４が存在する領域にハッチングを付している。
【００２７】
なお、発熱体２０の剛性は、マスク本体１０の剛性に比して大きく、発熱体２０はマスク本体１０と比べて変形しにくい。
ここで、接合部２４は発熱体２０の横幅方向における一部の領域に配置されているため、マスク本体１０の伸縮が発熱体２０によって拘束される範囲を制限でき、発熱体２０における接合部２４以外の部位は、マスク本体１０に対して相対的に移動可能となる。よって、マスク本体１０が伸展性又は伸縮性を有する場合、マスク本体１０において接合部２４以外の部位は、容易に伸展又は伸縮できるようになっている。
【００２８】
より詳細には、接合部２４は、例えば、各発熱体２０において、マスク本体１０の横幅方向における中心側の端縁に配置されている。
更に詳細には、例えば、発熱体２０の第２被覆シート２２の外面のうち、マスク本体１０の横幅方向における中心側の端縁が、当該端縁の上端から下端に亘って、第２シート１２の内面に対して接合部２４において接合している。
【００２９】
ただし、本発明において、接合部２４は発熱体２０の全面に亘って配置されていても良い。
また、発熱体２０は、第２シート１２の内面ではなく第１シート１１の内面に対して接合部２４において接合していても良いし、第１シート１１の内面と第２シート１２の内面との双方に対して接合部２４において接合していても良い。
また、第１シート１１の内面は、全面に亘って、発熱体２０又は第２シート１２に対して接合部２４又は接合部１３において接合していてもよい。
同様に、第２シート１２の内面は、全面に亘って、発熱体２０又は第１シート１１に対して接合部２４又は接合部１３において接合していてもよい。
つまり、発熱体２０の片面又は両面が、全面に亘って、第１シート１又は第２シート１２に対して接合されていても良い。
【００３０】
ここで、第１被覆シート２１と第２被覆シート２２とのうちの少なくとも一方は通気性を有する材料により構成されている。本実施形態の場合、第１被覆シート２１は第２被覆シート２２と比べてより通気性が高い。なお、第２被覆シート２２は通気性を有していてもよいし、通気性を実質的に有していなくてもよい。
また、第１被覆シート２１は透湿性シートである。一方、第２被覆シート２２は、透湿性シートであるか、又は非透湿性シートである。第２被覆シート２２が透湿性シートである場合、該第２被覆シート２２の通気性は、第１被覆シート２１の通気性と同じか、第１被覆シート２１の通気性よりも低くなっているか、第１被覆シート２１の通気性よりも高くなっている。
【００３１】
また、第１シート１１は通気性及び透湿性を有する材料により構成されている。第２シート１２は、通気性を有していなくてもよいし、通気性を実質的に有していなくてもよい。また、第２シート１２は透湿性を有していてもよいし、透湿性を実質的に有していなくてもよい。
【００３２】
一対の耳掛け部３０の各々は、可撓性の（柔軟な）シート材である耳掛け部構成シート３１により構成されている。
耳掛け部３０は、横幅方向に伸展性を有している。耳掛け部３０は、横幅方向に伸縮性を有することが更に好ましい。
耳掛け部構成シート３１は、単層のシートにより構成されていてもよいし、複数のシートの積層体であってもよい。
耳掛け部構成シート３１としては、不織布等の繊維材料からなる繊維シートを用いることができる。
【００３３】
一対の耳掛け部３０の各々の一端部が、接合部３３においてマスク本体１０の横幅方向における両端部に対してそれぞれ接合固定されている。すなわち、一方の耳掛け部３０の一端部が、接合部３３において左目覆い部１０ａの一端部に対して固定されている。同様に、他方の耳掛け部３０の一端部が、接合部３３において右目覆い部１０ｂの一端部に対して固定されている。
より詳細には、例えば、図４に示すように、耳掛け部３０は、第１シート１１において顔側となる面に対して接合部３３にて接合により固定されている。
マスク本体１０に対する耳掛け部３０の接合は、ヒートシールによってなされていてもよいし、粘着又は接着によりなされていてもよい。
【００３４】
なお、以下の説明では、耳掛け部３０において、マスク本体１０側（左目覆い部１０ａ側又は右目覆い部１０ｂ側）を基端（基端側）、マスク本体１０から遠い側を先端（先端側）と称する場合がある。つまり、耳掛け部３０における基端側の部位がマスク本体１０に対して接合部３３にて固定されている。
【００３５】
耳掛け部３０の平面形状は特に限定されないが、例えば、左目覆い部１０ａ及び右目覆い部１０ｂと同様の形状に形成されている。
例えば、図１に示すように温熱具１００が折り畳まれた状態（展開される前の状態）において、左目覆い部１０ａ及び右目覆い部１０ｂのそれぞれに対して、一方ずつの耳掛け部３０が重なる。
【００３６】
図１及び図３に示すように、接合部３３は、横幅方向外側に向かって凸の弧状に形成されている。本実施形態の場合、接合部３３の弧の曲率は、接合部３３の全長に亘って一定またはほぼ一定となっている。
なお、マスク本体１０の横幅方向における両端縁も、横幅方向外側に向かって凸の弧状に形成されており、各接合部３３は、マスク本体１０の横幅方向における端縁に沿って弧状に延在している。
また、図１に示すように一対の耳掛け部３０が左目覆い部１０ａ及び右目覆い部１０ｂに対してそれぞれ重なっている状態において、図１における左側の耳掛け部３０の左端縁が左方に向かって凸の弧状となるように当該左側の当該耳掛け部３０が形成されているとともに、図１における右側の耳掛け部３０の右端縁が右方に向かって凸の弧状となるように当該右側の当該耳掛け部３０が形成されている。
【００３７】
なお、図１の状態では、例えば、一対の耳掛け部３０の先端どうしが繋がっている。一対の耳掛け部３０の先端には、上下に延在する易破断部３７が形成されている。温熱具１００の使用時には、耳掛け部３０を構成する耳掛け部構成シート３１を易破断部３７に沿って容易に破断し、一対の耳掛け部３０どうしを分離させることができるようになっている。
この易破断部３７は、例えば、耳掛け部３０を構成する耳掛け部構成シート３１に形成されたハーフカット溝又はミシン目により構成されている。
【００３８】
一対の耳掛け部３０の各々は、当該耳掛け部３０を耳に掛けるための耳掛け用開口３２を有している。
本実施形態の場合、耳掛け用開口３２は、耳掛け部３０の表裏を貫通している貫通孔である。ただし、本発明は、この例に限らず、耳掛け用開口３２は、耳掛け部３０に形成されたスリットであってもよい。
耳掛け用開口３２の形状は特に限定されないが、例えば、耳掛け用開口３２は横幅方向に長尺に形成されている。また、耳掛け用開口３２の上下幅寸法は、耳掛け部３０の先端側に向けて広がっている。
耳掛け用開口３２は、例えば、上下方向において耳掛け部３０の中央部に配置されている。
【００３９】
一対の耳掛け部３０の各々は、それぞれ耳掛け用開口３２と連続する第１耳掛け用スリット３４、第２耳掛け用スリット３５及び第３耳掛け用スリット３６を有している。
このうち第１耳掛け用スリット３４は、耳掛け用開口３２の下縁から下方に延びている。
第２耳掛け用スリット３５は、耳掛け用開口３２の先端縁の下部から先端側に向けて斜め下に延びている。
第３耳掛け用スリット３６は、耳掛け用開口３２の先端縁の上部から先端側に向けて斜め上に延びている。
例えば、第２耳掛け用スリット３５よりも第１耳掛け用スリット３４の方が長く、第２耳掛け用スリット３５よりも第３耳掛け用スリット３６の方が短い。
【００４０】
なお、温熱具１００の使用時には、第１耳掛け用スリット３４、第２耳掛け用スリット３５及び第３耳掛け用スリット３６が耳掛け用開口３２と一体となって、耳掛け用の開口となる。
このため、図１から図３に示す距離Ｌ１は、耳掛け用開口３２に第１耳掛け用スリット３４〜第３耳掛け用スリット３６も含めた場合の距離となっている。
【００４１】
なお、温熱具１００は、使用前の状態では、軟質包装材により構成された包装袋（不図示）に封入されている。使用時に包装袋から温熱具１００が取り出されることによって、発熱体２０の発熱部２３が空気中の酸素と接触し、該発熱部２３が発熱するとともに水蒸気（蒸気温熱）を発生し、この水蒸気が第１被覆シート２１及び第１シート１１を介して外部に放出されるようになっている。
よって、使用者が温熱具１００を着用することによって、この水蒸気が使用者の顔面に供給されるようになっている。これにより、使用者は、あたかも蒸しタオルで使用者の顔面を温めるかのような心地よさを感じることができる。
このように、本実施形態に係る温熱具１００は、蒸気温熱具である。
【００４２】
温熱具１００の使用時には、マスク本体１０の第１シート１１を顔側にして、左目覆い部１０ａ及び右目覆い部１０ｂをそれぞれ左右の目の周りにあてがい、一対の耳掛け部３０をそれぞれ左右の耳に引っ掛ける。すなわち、一対の耳掛け部３０の耳掛け用開口３２を左右の耳にそれぞれ引っ掛ける
【００４３】
なお、耳掛け用開口３２の周囲には第１耳掛け用スリット３４、第２耳掛け用スリット３５及び第３耳掛け用スリット３６（図１等参照）が形成されているため、耳掛け部３０が線ではなく面で耳に当たるようにでき、耳に対する耳掛け部３０の触感がよりソフトになる。
また、マスク本体１０の横幅方向の中央部の上縁部と下縁部にはそれぞれ上側スリット１４及び下側スリット１５が形成されているので、顔の形状に沿って温熱具１００が変形しやすく、温熱具１００のフィット感が向上する。特に、下側スリット１５が形成されていることにより、マスク本体１０と鼻との干渉を抑制することができる。
【００４４】
ここで、温熱具１００を装着した使用者が、温熱具１００がきつい（小さい）と感じた場合は、例えば図４又は図５に示すように、接合部３３を部分的に剥離して、距離Ｌ１を拡大した上で、温熱具１００を再度装着する。
これにより、使用者の顔サイズにかかわらず、マスク本体１０を顔の目周りに対して適度にフィットさせることが可能となる。ここで、目周りとは、左右の目及びその周囲近傍の領域である。
【００４５】
なお、接合部３３を剥離する際には、接合部３３において、マスク本体１０の横幅方向における中央側の端部３３ａを起点として、剥離する。例えば、図３に示すように耳掛け部３０を展開し、耳掛け部３０を先端側に引っ張ることにより、接合部３３を端部３３ａ側から剥離することができる。
【００４６】
ここで、接合部３３は上述したように横幅方向外側に向かって凸の弧状であるため、端部３３ａは、横幅方向の力に対して相対的に剥離しやすい。一方、接合部３３において、マスク本体１０の横幅方向における端側の端部３３ｂは、横幅方向の力に対して相対的に剥離しにくい。よって、接合部３３が完全に剥離してしまうことを抑制しつつ、端部３３ｂを起点として接合部３３を部分的に剥離することを容易になしうるようになっている。
【００４７】
以上のような第１実施形態に係る温熱具１００は、温熱具１００を平坦に広げたときにおける一対の耳掛け用開口３２の両端間の距離Ｌ１を調節可能とさせる距離調節部を備える。
よって、距離調節部を用いて、距離Ｌ１を使用者の顔サイズに合わせた長さに調節することにより、マスク本体１０を顔の目周りに対して適度にフィットさせることが可能となる。
すなわち、使用者の顔サイズにかかわらず、マスク本体１０を顔の目周りに対して適度にフィットさせることが可能である。
【００４８】
＜第１実施形態の変形例＞
次に、図６を用いて第１実施形態の変形例に係る温熱具１００について説明する。
本変形例に係る温熱具１００は、接合部３３の形状が上記の第１実施形態に係る温熱具１００と相違しており、その他の点では上記の第１実施形態に係る温熱具１００と同様に構成されている。
本変形例の場合、接合部３３は、接合部３３の横幅方向外側の端部（つまり端部３３ｂ）において局所的に屈曲しており、上記の第１実施形態（図１）と比べてより凸な弧状の形状となっている。
これにより、温熱具１００を平坦に広げたときにおける一対の耳掛け用開口３２の両端間の距離の調節幅が、第１実施形態よりも広くなっている。
【００４９】
〔第２実施形態〕
次に、図７（ａ）、図７（ｂ）及び図７（ｃ）を用いて第２実施形態を説明する。
本実施形態に係る温熱具１００は、耳掛け部３０の構造が、上記の第１実施形態に係る温熱具１００と相違しており、その他の点では第１実施形態に係る温熱具１００と同様に構成されている。
【００５０】
図７（ａ）、図７（ｂ）及び図７（ｃ）の各々は、図４と同等の位置での温熱具１００の模式的な断面図である。ただし、図７（ａ）、図７（ｂ）及び図７（ｃ）においては、温熱具１００における耳掛け部３０の基端部の近傍の部分のみを示しているとともに、耳掛け部３０を横幅方向に展開した状態を示している。
【００５１】
本実施形態の場合、図７（ａ）に示すように、一対の耳掛け部３０の各々を構成する耳掛け部構成シート３１は、耳掛け部３０の基端部近傍において、第１積層シート部１１１及び第２積層シート部１１２の２層のシート部が重なるように折り畳まれて構成された積層部１１０を有する。図７（ａ）に示す折り返し部１１３は、第１積層シート部１１１と第２積層シート部１１２との境界部である。
【００５２】
第１積層シート部１１１と第２積層シート部１１２とは、第１接合部１２１、第２接合部１２２及び第３接合部１２３の３箇所で互いに接合されている。これら第１接合部１２１、第２接合部１２２及び第３接合部１２３は、横幅方向において互いに離間している。耳掛け部３０の基端側から、第１接合部１２１、第２接合部１２２及び第３接合部１２３の順に配置されている。
なお、第３接合部１２３は、例えば、折り返し部１１３からも離間している。
これら接合部位（第１接合部１２１、第２接合部１２２及び第３接合部１２３）は、それぞれ剥離可能となっている。
本実施形態の場合、距離調節部は、これら接合部位（第１接合部１２１、第２接合部１２２及び第３接合部１２３）を含んで構成されている。
【００５３】
すなわち、耳掛け部３０において、マスク本体１０に対する耳掛け部３０の固定部（接合部３３）から離間した部位が、耳掛け部３０における他部に対して剥離可能に接合しており、距離調節部は、この接合部位を含んで構成されている。
また、耳掛け部３０の横幅方向に離間した複数部位（例えば、第１接合部１２１、第２接合部１２２及び第３接合部１２３の３つの部位）が、耳掛け部３０における他部に対して剥離可能にそれぞれ接合しており、距離調節部は、これら接合部位を含んで構成されている。
【００５４】
本実施形態の場合、図７（ｂ）〜（ｄ）に示すように、第１接合部１２１〜第３接合部１２３のうちのいずれか１つ以上を剥離することにより、図７（ａ）に示す初期状態と比べて、耳掛け部３０の基端から耳掛け用開口３２の先端までの距離Ｌ２を長くすることができる。
すなわち、図７（ｂ）には、第１接合部１２１（図７（ａ））を剥離し、第２接合部１２２及び第３接合部１２３は剥離していない状態を示しており、図７（ａ）の状態と比べて距離Ｌ２が長くなっている。
また、図７（ｃ）には、第１接合部１２１及び第２接合部１２２（図７（ａ））を剥離し、第３接合部１２３は剥離していない状態を示しており、図７（ｂ）の状態と比べて更に距離Ｌ２が長くなっている。
また、図７（ｄ）には、第１接合部１２１、第２接合部１２２及び第３接合部１２３（図７（ａ））のすべてを剥離した状態を示しており、図７（ｃ）の状態と比べて更に距離Ｌ２が長くなっている。
なお、温熱具１００の全体の図示は省略するが、本実施形態では、このように距離Ｌ２を調節できることから、温熱具１００を平坦に広げたときにおける一対の耳掛け用開口３２の両端間の距離Ｌ１（図３〜図５参照）も調節できることは自明である。
【００５５】
本実施形態の場合、使用者の顔サイズに合わせて、図７（ｂ）〜（ｄ）に示すように第１接合部１２１〜第３接合部１２３のうちのいずれか１つ以上を第１接合部１２１、第２接合部１２２及び第３接合部１２３の順番で剥離することにより、距離Ｌ２ひいては距離Ｌ１を調節できるため、マスク本体１０を顔の目周りに対して適度にフィットさせることが可能となる。すなわち、使用者の顔サイズにかかわらず、マスク本体１０を顔の目周りに対して適度にフィットさせることが可能となる。
【００５６】
なお、図７（ｂ）〜図７（ｄ）に示すように、第１接合部１２１〜第３接合部１２３を剥離することにより図７（ａ）に示す初期状態と比べて距離Ｌ２を長くすることで、耳掛け部３０が長くなることから、耳掛け部３０を横幅方向に引き伸ばすのに要する力が、図７（ａ）の状態と比べて小さくなる。このことによって、温熱具１００を装着したときの温熱具１００の装着感をより緩くすることができるため、顔サイズが大きい使用者にとってより最適なフィット感が得られる。
更に、図７（ｂ）〜図７（ｄ）に示すように、第１接合部１２１〜第３接合部１２３を剥離することにより図７（ａ）に示す初期状態と比べて距離Ｌ２を長くすることで、耳掛け部３０を横幅方向に引き伸ばす力に対する弾性力が他部よりも大きい積層部１１０の横幅方向における長さが短くなる。これによっても、耳掛け部３０を横幅方向に引き伸ばすのに要する力が、図７（ａ）の状態と比べて小さくなる。このことによっても、温熱具１００を装着したときの温熱具１００の装着感をより緩くすることができるため、顔サイズが大きい使用者にとってより最適なフィット感が得られる。
【００５７】
このように、本実施形態に係る温熱具１００においても、距離調節部により耳掛け部３０の基端から耳掛け用開口３２の先端までの距離Ｌ２（ひいては距離調節部により一対の耳掛け用開口３２の両端間の距離Ｌ１（図３等参照））を調節することで、当該温熱具１００を横幅方向に引き伸ばすのに要する力の大きさが変化するようになっている。
【００５８】
なお、第２実施形態では、温熱具１００は、第１実施形態で説明したような、接合部３３を用いた距離Ｌ１の調節機能は備えていなくても良い。したがって、第２実施形態では、接合部３３の形状は特に限定されず、図１及び図３に示すような弧状の形状となっていなくても良い。
【００５９】
また、第２実施形態では、耳掛け部３０において、固定部（接合部３３）から離間した部位が、耳掛け部３０における他部に対して剥離可能に接合している例を説明したが、耳掛け部３０において、固定部（接合部３３）から離間した部位が、マスク本体１０に対して剥離可能に接合していてもよい。
【００６０】
また、第２実施形態では、温熱具１００が３つの接合部位（第１接合部１２１〜第３接合部１２３）を有する例を説明したが、接合部位は１箇所以上であればよい。
【００６１】
本発明は上記の実施形態に限定されるものではなく、本発明の目的が達成される限りにおける種々の変形、改良等の態様も含む。
【００６２】
例えば、上記の各実施形態では、耳掛け部３０が横幅方向の伸展性ないしは伸縮性を有する例を説明したが、耳掛け部３０は横幅方向の伸展性ないしは伸縮性を有していなくても良い。
【００６３】
また、発熱体２０は、蒸気を放出しない発熱性のものであってもよい。したがって、温熱具１００は、蒸気温熱具ではなく、単なる温熱具であってもよい。
【００６４】
また、上記の各実施形態及び変形例は、本発明の主旨を逸脱しない範囲で、適宜に組み合わせることができる。
【００６５】
上記実施形態は、以下の技術思想を包含する。
＜１＞両目を覆うマスク本体と、前記マスク本体に設けられた発熱体と、前記マスク本体の横幅方向における両端部に対して各々の一端部が固定されていて耳に掛けられる一対の耳掛け部と、を備える温熱具であって、
前記一対の耳掛け部の各々は、当該耳掛け部を耳に掛けるための耳掛け用開口を有し、
当該温熱具は、当該温熱具を平坦に広げたときにおける前記一対の耳掛け用開口の両端間の距離を調節可能とさせる距離調節部を備える温熱具。
＜２＞前記距離調節部は、前記一対の耳掛け部と前記マスク本体との接合部を含んで構成されており、
前記接合部は、横幅方向の所定範囲に亘って設けられていて、且つ、剥離可能である＜１＞に記載の温熱具。
＜３＞前記接合部は、横幅方向外側に向かって凸の弧状に形成されている＜２＞に記載の温熱具。
＜４＞前記耳掛け部において、前記マスク本体に対する前記耳掛け部の固定部から離間した部位が、当該耳掛け部における他部又は前記マスク本体に対して剥離可能に接合しており、前記距離調節部は、この接合部位を含んで構成されている＜１＞から＜３＞のいずれか一項に記載の温熱具。
＜５＞前記耳掛け部の横幅方向に離間した複数部位が、当該耳掛け部における他部又は前記マスク本体に対して剥離可能にそれぞれ接合しており、前記距離調節部は、これら接合部位を含んで構成されている＜４＞に記載の温熱具。
＜６＞前記距離調節部により前記一対の耳掛け用開口の両端間の距離を調節することで、当該温熱具を横幅方向に引き伸ばすのに要する力の大きさが変化する＜１＞から＜５＞のいずれか一項に記載の温熱具。
【符号の説明】
【００６６】
１０  マスク本体
１０ａ  左目覆い部
１０ｂ  右目覆い部
１１  第１シート
１２  第２シート
１３  接合部
１４  上側スリット
１５  下側スリット
１８  収容空間
２０  発熱体
２１  第１被覆シート
２２  第２被覆シート
２３  発熱部
２４  接合部
３０  耳掛け部
３１  耳掛け部構成シート
３２  耳掛け用開口
３３  接合部（固定部、距離調節部）
３３ａ、３３ｂ  端部
３４  第１耳掛け用スリット
３５  第２耳掛け用スリット
３６  第３耳掛け用スリット
３７  易破断部
１００  温熱具
１１０  積層部
１１１  第１積層シート部
１１２  第２積層シート部
１１３  折り返し部
１２１  第１接合部（距離調節部）
１２２  第２接合部（距離調節部）
１２３  第３接合部（距離調節部）
【図１】
2018108201.tif 000003
【図２】
2018108201.tif 000004
【図３】
2018108201.tif 000005
【図４】
2018108201.tif 000006
【図５】
2018108201.tif 000007
【図６】
2018108201.tif 000008
【図７】
2018108201.tif 000009